(57)【要約】【課題】本発明は、容易に生体情報を測定等できるとともに、測定した生体情報、及びその生体情報の蓄積から分析される健康診断結果を利用者に通知する健康管理支援システム、及び携帯端末を提供する。【解決手段】本発明の携帯端末５は、生体情報取得用の生体情報測定手段１１を有する携帯端末であって、前記生体情報測定手段は、前記携帯端末の一部に備えられている。【選択図】      図２
2004255029.tif 000002
【特許請求の範囲】
【請求項１】
生体情報取得用の生体情報測定手段を有する携帯端末であって、
前記生体情報測定手段が、前記携帯端末の一部に備えられていることを特徴とする携帯端末。
【請求項２】
前記生体情報測定手段は、少なくとも心拍数、心電図情報等のいずれか１つを測定するための電極と、体温を測定するための第１の検出手段と、少なくとも眼球、口腔等のいずれか１つを撮像するための撮像装置と、呼気等を検出するための第２の検出手段と、の少なくともいずれか１つを備えていることを特徴とする携帯端末。
【請求項３】
居住域において、日常生活で使用する器具に取り付けられた健康状態を測定するためのセンサを備える他の測定手段により測定された生体情報データを取得するための外部情報取得手段を具備している請求項１、又は２に記載の携帯端末。
【請求項４】
前記請求項１〜３のいずれか１つに記載された複数の携帯端末と通信回線を介して接続される管理センタにおいて、
前記携帯端末は、少なくとも生体情報測定手段、他の測定手段のいずれか１つにより測定された生体情報を管理センタへ送信する通信手段を備え、
前記管理センタは、前記生体情報を取得するための生体情報取得手段と、前記取得した生体情報と所定の基準値とを比較し前記生体情報が基準値を超えたか否かを判定する判定手段と、前記判定された結果に基づいて前記携帯端末に判定結果を通知する判定結果通知手段と、を備えていることを特徴とする健康管理支援システム。
【請求項５】
前記管理センタは医療機関等と通信回線を介して接続され、前記判定手段により判定された結果が特異であった場合は、前記携帯端末からの要求により、前記管理センタが指定する医療機関の予約をすることができることを特徴とする請求項４に記載の健康管理支援システム。
【発明の詳細な説明】
【０００１】
【発明の属する技術分野】
本発明は、携帯端末を用いた健康支援システムに関し、特に健康状態の診断、及び日々の測定を行うことによる健康状態の変化の通知に関する。
【０００２】
【従来の技術】
通常、定期検診といって、１年に１度か２度健康診断を受ける。また、心配な方はその都度、医者に行き、診察してもらう。
【０００３】
また、近年のコンピュータの発達等にともなって、自宅にいながらにして通信回線を介して遠隔地にいる医師等の専門家に測定データを送ることにより自宅等で専門家のアドバイスを受けながら健康管理を行うことができる。
【０００４】
また、近年のコンピュータの発達等にともなって、通信会社の無線携帯端末は急激に成長している。ＩＳＤＮやＡＤＳＬ等の通信の発達に伴い通信速度も速くなり、画像等の大量のデータを送信する場合においても、ほぼタイムラグなく送信することが可能である。
【０００５】
【発明が解決しようとする課題】
しかしながら、通常の定期検診は１年に１度や２度であるため、検診から次の検診までの間が長期間あきすぎ、病気の早期発見等が出来ない場合がある。
【０００６】
また、体調は日々、変化するため、健康診断日一度きりの情報によって得られる健康診断結果では、情報量が少なすぎてあてにならない部分もある。
【０００７】
また、自宅にいながらにして健康管理を行うシステムにあっては、通常、専門家等に送信するための端末と測定機器は別々に設けられているため、測定したデータを端末に入力し直す必要があるなど手間がかかっていた。
【０００８】
また、近年の通信技術の発達により、携帯端末という手軽な機器であるにもかかわらず大容量のデータ送信が可能であるため、利用できれば便利である。
【０００９】
本発明が解決しようとする課題には、上記した問題が一例として挙げられる。
【００１０】
そこで、本発明は容易に生体情報を測定等できるとともに、測定した生体情報、及びその生体情報の蓄積から分析される健康診断結果を利用者に通知する健康管理支援システム、及び携帯端末を提供することを目的とする。
【００１１】
【課題を解決するための手段】
以下、本発明について説明する。なお、本発明の理解を容易にするために添付図面の参照符号を括弧書きにて付記するが、それにより本発明が図示の形態に限定されるものではない。
【００１２】
本発明の携帯端末（５）は、生体情報取得用の生体情報測定手段（１１）を有する携帯端末であって、前記生体情報測定手段が、前記携帯端末の一部に備えられていることを特徴とする。また、前記生体情報測定手段は、少なくとも心拍数、心電図情報等のいずれか１つを測定するための電極（８）と、体温を測定するための第１の検出手段（９）と、少なくとも眼球、口腔等のいずれか１つを撮像するための撮像装置（６）と、呼気等を検出するための第２の検出手段（７）と、の少なくともいずれか１つを備えている。
【００１３】
このようにすれば、利用者が容易に体温等の測定や測定した情報の確認ができるとともに、健康診断に必要な生体情報を測定することができる。
【００１４】
また、携帯端末は、更に、居住域において、日常生活で使用する器具に取り付けられた健康状態を測定するためのセンサを備える他の測定手段により測定された生体情報データを取得するための外部情報取得手段（１４）を具備していてもよい。
【００１５】
このようにすれば、健康診断に必要な様々な生体情報を得ることができ、より正確な健康診断をするための生体情報を取得することができる。
【００１６】
また、本発明の健康管理支援システムは、上記記載の複数の携帯端末と通信回線（３５）を介して接続される管理センタ（２０）において、前記携帯端末は、少なくとも生体情報測定手段、他の測定手段のいずれか１つにより測定された生体情報を管理センタへ送信する通信手段（１６）を備え、前記管理センタは、前記生体情報を取得するための生体情報取得手段（２８）と、前記取得した生体情報と所定の基準値とを比較し前記生体情報が基準値を超えたか否かを判定する判定手段（２３）と、前記判定された結果に基づいて前記携帯端末に判定結果を通知する判定結果通知手段と、を備えていることを特徴とする。
【００１７】
このようにすれば、手軽に健康診断をしてもらうことができるとともに、自分の健康を管理することができる。
【００１８】
【発明の実施の形態】
以下、図１〜図４を参照して、本発明に係る携帯端末、及び健康管理支援システムの実施形態について説明する。
【００１９】
図１は本発明の健康管理支援システムの概要図、図２は携帯端末の外観図、図３は本発明の健康管理支援システムのシステム構成図である。
【００２０】
本発明の健康管理支援システム１は、図示のように、携帯端末５、５、・・・、５に生体情報を測定するための生体情報測定手段１１を備え、この生体情報測定手段１１により測定された情報（データ）を管理センタ２０でＩＤ番号によって管理するとともに、測定時、又は所定期間ごと、又はなんらかの異常があった場合等に、携帯端末５に測定結果やその対策等を通知するシステムである。また、管理センタ２０は外部の医療機関等３０と提携しており、測定結果による異常等において、利用者は、ＩＤ番号によってその医療機関等３０に診察・検査予約をすることができる。また、携帯端末５と管理センタ２０、及び管理センタ２０と医療機関等３０とは通信回線３５、３５ａを介して接続されている。また、管理センタ２０と医療機関等３０は１つの施設であってもよい。通信回線３５、３５ａは、有線、無線に限られない。また、インターネット網、ネットワーク網等を利用してもよい。
【００２１】
また、図２に示すように、携帯端末５は、生体情報測定手段１１として、口腔、眼球等を撮影するための撮像装置６と、呼気を検出するための吸気センサを備えた検出手段としてのマイク７と、心拍数、心電図情報等を測定するための電極８と、鼓膜およびその周辺の外耳道内の温度（体温）を検出するためのセンサ９を備えた検出手段と、を備えている。また、携帯端末５は、無線によって通信するためのアンテナ５ｂと、様々な情報を表示するための表示部５ｃと、相手先の電話番号等を指定するための１〜９の番号等から構成されるボタン５ｄと、通話するためのスピーカ５ｅとマイク７と、を備える。マイク７は上記に示すように呼気を検出するための検出手段としても機能する。また、携帯端末５の本体５ａの最上部端部にはアンテナ５ｂが備えられる。また、携帯端末の使用状態において利用者と対向する面において、本体５ａの最上部の所定位置にはセンサ９とスピーカ５ｅと撮像装置６を備え、本体５ａの上部には表示部５ｃを備え、本体５ａの下部にはボタン５ｄ、本体５ａの最下部にはマイク７を備えている。また、図示しないが、これら生体情報測定手段１１の制御、取得した情報を所定の様式に変更、及び所定の様式に変更した情報を表示部５ｃに表示等するための制御手段、を備えている。これにより、携帯端末５の利用者は、例えば、体温、心拍数等をいつでも容易に測定し、表示部５ｃで確認することが可能となる。
【００２２】
撮像装置６は、レンズを有し、このレンズは携帯端末本体５ａの上部端部に備えられる。撮像装置６の本体は、携帯端末に内蔵されている。また、撮像装置６はインターフェース等を介して外部から携帯端末本体５ａに接続できるような形態であってもよい。
【００２３】
また、マイク７は、呼気等を測定するためのセンサを有し、携帯端末本体５ａに内蔵されている。また、マイク７は、インターフェース等を介して外部から携帯端末本体５ａに接続できるような形態であってもよい。
【００２４】
また、電極８、８は好適には、携帯端末本体５ａの両端（更に具体的には、握り位置）に備える。また、電極８は、携帯端末本体５ａの裏面に設けられるようにしてもよい。また、電極８は、例えば、増幅器（図示なし）と接続され、電極の一方は増幅器の＋入力に他方の電極は増幅器の−入力に電気的に接続される。また、電極８は、利用者が、通常、携帯端末５を利用する際に利用者の手が携帯端末本体５ａと接触する一部に設けられていればよい。また、一定時間電極８に接触することにより自動的に測定が開始される。このようにすれば、日常、携帯端末５を使用すれば、必ず電極８に接触するため自然に心拍数、心電図情報等を測定でき、生体情報を取得することが可能となる。
【００２５】
また、体温を検出するためのセンサ９は、鼓膜及びその近傍の外耳道から放出される赤外線を検出する。また、このセンサ９は、携帯端末使用時、利用者の耳と対向するように備えられる。また、このセンサ９は、携帯端末利用者の耳に対して所定の長さに伸縮自在に、且つ長さを調整可能に備えられ、測定時に外耳道に挿入されて使用される。
【００２６】
これら撮像装置６、マイク７、電極８、センサ９は制御部と接続される。制御部は、撮像装置等により撮像・測定された情報を所定の様式に変更する制御をする。また、制御部は、生体情報取得通知手段１２として、生体情報取得手段１１により生体情報を取得した旨、または、撮像装置によるピンぼけ等による画像の不認識、電極による正しい位置で測定していないための不測定等の場合における生体情報不取得の旨を携帯端末５の表示部５ｃに表示する機能を備えていてもよい。その旨は音声等により出力するようにしてもよい。このようにすれば、測定は行ったが実際には測定等の不備で生体情報（画像情報や測定情報）を認識できなかったということがおこることを防止できる。
【００２７】
また、携帯端末５は、外部情報取得手段１４として、ブルートゥース機能を備え、外部の測定機器により測定した情報を携帯端末に取り込めるようにしてもよい。このようにすれば、例えば、自宅のトイレ等に検尿センサ等が備えられている場合、その検尿センサ等から情報を適宜収集できる。
【００２８】
図３は携帯端末と管理センタの構成を示すブロック図である。
【００２９】
携帯端末５は、本人認証のためのＩＤ番号発行要求手段１３と、生体情報を測定等するための生体情報測定手段１１と、生体情報測定手段１１により測定等された情報が、管理センタ２０が認識できる情報であるか否かを通知するための情報取得通知手段１２と、他の健康管理装置（例えば、血圧測定器や検尿センサ装置等）等から生体情報を取得するための外部情報取得手段１４と、測定、及び取得した生体情報を送信するための通信手段１６と、管理センタ２０から送信された生体情報に関する診断等結果通知を受信するための通信手段１６と、受信した結果通知を表示するための表示手段１５と、を備えている。
【００３０】
生体情報測定手段１１としては、心拍数等を測定するための電極８や、眼球画像、口腔画像等を撮像するための撮像装置６、呼気を測定するためのセンサを有するマイク７、体温を測定するためのセンサ９等から選択される少なくとも１つであればよい。
【００３１】
また、認証用の生体情報とは、例えば、指紋、声紋、網膜、虹彩情報等から選択される少なくとも１つであればよい。これらの生体情報は、例えば、撮像装置６等で撮影され、画像処理されて認証情報が生成される。
【００３２】
また、管理センタ２０は、携帯端末５からのＩＤ番号発行要求によりＩＤ番号を発行（利用者を特定）するためのＩＤ番号発行手段２１と、携帯端末５（利用者）を認証用の生体情報に基づいて特定するための特定手段２２と、前記特定手段２２により特定された携帯端末５から生体情報を受信するための通信手段２５と、受信された生体情報を取得するための生体情報取得手段２８と、取得された生体情報を基準値と比較し異常であるか否かの判定をするための判定手段２３と、取得された生体情報に基づいて判定結果を生成するための判定結果通知情報生成手段２４と、生成された通知情報を特定された携帯端末に送信するための通信手段２５と、ＩＤ番号に対応する認証用の生体情報、受信されたデータ、基準値を含む第１のデータベース２６と、所定の判定結果に対応する処置、及び／又は処理方法等を含む第２のデータベース２７と、を備えている。
【００３３】
また、判定手段２３においては、例えば、取得した生体情報と第１のデータベース２６に記憶されている所定の基準値とを比較し、基準値を超えたか否かを判定する処理がされる。又、判定結果通知情報生成手段２４は、判定結果に対応する処置方法等を第２のデータベース２７から抽出し、測定データ、判定結果、及び処置方法等から構成される判定結果通知を所定の様式で生成する処理がされる。
【００３４】
また、生体情報取得手段２８は、受信された情報を第１のデータベース２６に順次記憶していく処理をする。
【００３５】
次に、本システムの動作について説明する。図４は生体情報測定手段により測定されたデータ処理のフローチャート図である。なお、図１、図３に対応する符号を付することにするがその実施形態に限定されるものではない。
【００３６】
このシステムを利用する場合、前段階として、携帯端末５の利用者は、まず、ＩＤ番号発行要求手段１３により、認証用の生体情報を管理センタ２０に送信し、ＩＤ番号の発行要求をする。管理センタ２０は、その要求に基づいて、ＩＤ番号発行手段２１によりＩＤ番号を発行し、そのＩＤ番号情報を携帯端末５に送信する。また、認証用の生体情報は、発行されたＩＤ番号に対応して第１のデータベース２６の所定部に登録される。この登録により測定が開始される。
【００３７】
生体情報測定手段１１により測定が開始される（ステップＳ１０１）。具体的には、電極８による測定は、利用者が携帯端末５を一定の時間使用（所定時間、電極８に接触）することにより行われる。また、撮像装置６、マイク７等による撮像・測定は、手動で操作する。
【００３８】
次に、撮像・測定（以下、「測定等」と呼ぶ。）された生体情報が、情報取得通知手段１２により携帯端末５に生体情報が取得できたか否かが判断され（ステップＳ１０２）、その旨が通知される（ステップＳ１０３、ステップＳ１０４）。この通知によって、生体情報が取得できなかった旨の通知がされた場合は（ステップＳ１０４）、再度、各生体情報測定手段１１により生体情報を測定する。
【００３９】
また、自宅等に他の健康管理装置（例えば、血圧測定器や検尿センサ装置等）が備えられている場合は、外部情報取得手段１４によって、携帯端末５に他の健康管理装置から測定された生体情報を取得するようにしてもよい。この場合も上記ステップＳ１０２〜ステップＳ１０４と同様に、生体情報が情報取得通知手段１２により携帯端末５に生体情報が取得できたか否かが判断され、その旨が通知される。これにより、測定時の不手際等による不測定等によって診断できない等の無駄をなくすことができる。
【００４０】
次に、生体情報は、送信手段によって所定の形式に変換された後、管理センタ２０へ送信される（ステップＳ１０５）。また、送信の際には、ＩＤ番号と、認証用の生体情報と、測定によって得られた生体情報とが一緒に送信される。
【００４１】
管理センタ２０は、認証用の生体情報により本人である旨の確認を行い（ステップＳ１０６）、測定された生体情報を受信し、生体情報が第１のデータベース２６に順次記憶される（ステップＳ１０７）。
【００４２】
次に、受信された生体情報は、第１のデータベース２６に予め記憶されている基準値と比較され、その基準値を超えたか否かが判定される（ステップＳ１０８）。この基準値は、年齢、性別、身長、体重等の生体情報から算出され、決定される。また、判定の際、基準値を超えるような状態であるか否かが判断される（ステップＳ１０９）。
【００４３】
基準値を超えた場合は、判定結果通知情報生成手段２４により第２のデータベース２７に予め記憶されている測定データに対応する処置、及び処置方法から判定結果に対応する処置、及び処置方法情報を抽出し、測定データ、及び抽出された処置、及び処置方法情報から構成される判定結果通知情報を生成する（ステップＳ１１０）。なお、測定等されたデータが基準値を超えていない場合は、本実施形態においては判定結果等の通知をしないが、測定データと基準値データとを含む情報を生成し、通知するようにしてもよい。
【００４４】
次に、管理センタ２０は、生成された判定結果通知情報を携帯端末５に送信する（ステップＳ１１１）。
【００４５】
携帯端末５は、その判定結果通知情報を受信するとともに（ステップＳ１１２）、携帯端末５の表示部５ｃに表示し（ステップＳ１１３）、処理を修了する。なお、判断結果通知情報は、文字（メール）として送信されるが、音声等であってもよい。
【００４６】
また、判定の際、特異な状態（基準値を大幅に超えるような異常状態）が認められた場合には、ステップＳ１１０〜ステップＳ１１３の処理に加え、管理センタ２０は、再検査等するための医療機関を指定し、その旨の通知を携帯端末５に送信する。利用者は携帯端末５によって、図示しないが、再検査予約要求手段により管理センタ２０に再検査要求を行う。管理センタ２０は、その要求に基づいて、指定された医療機関等３０へＩＤ番号とそのＩＤ番号に対応する測定データを含む診断情報を送信する。医療機関等３０は、診断情報を受信し、空いている時間帯に予約し、その予約情報を管理センタ２０へ送信する。管理センタ２０は予約情報を記憶するとともに、その予約情報を携帯端末５に送信する。携帯端末５はその予約情報を受信し、処理を修了する。予約情報とは、日時・時間・担当医等を含む情報である。
【００４７】
これにより、利用者は予約された日時に指定された医療機関へ行けば再検査等の診断を容易に受けることができる。また、手軽に健康を管理できるので、病気の早期発見、早期予防に役立つ。
【００４８】
以上に説明したように、本発明の携帯端末５は、生体情報取得用の生体情報測定手段１１を有する携帯端末５であって、この生体情報測定手段１１は、携帯端末５の一部に備えられている。また、生体情報測定手段１１は、少なくとも心拍数、心電図情報等のいずれか１つを測定するための電極８、８と、少なくとも眼球、口腔等のいずれか１つを測定するための撮像装置６と、体温を測定するための第１の検出手段としてのセンサ９と、呼気等を検出するための第２の検出手段としてのマイク７と、の少なくともいずれか１つを備えている。
【００４９】
このようにすれば、利用者が容易に体温等の測定や測定した情報の確認ができるとともに、健康診断に必要な生体情報を測定することができる。
【００５０】
また、携帯端末５は、更に、居住域において、日常生活で使用する器具に取り付けられた健康状態を測定するためのセンサを備える他の測定手段により測定された生体情報データを取得するための外部情報取得手段１４を具備していてもよい。
【００５１】
このようにすれば、健康診断に必要な様々な生体情報を得ることができ、より正確な健康診断をするための生体情報を取得することができる。
【００５２】
また、本発明の健康管理支援システム１は、上記記載の複数の携帯端末５、５、・・・、５と通信回線３５を介して接続される管理センタ２０において、携帯端末５は、少なくとも生体情報測定手段１１、他の測定手段のいずれか１つにより測定された生体情報を管理センタ２０へ送信する通信手段１６を備え、管理センタ２０は、生体情報を取得するための生体情報取得手段２８と、取得した生体情報と所定の基準値とを比較し前記生体情報が基準値を超えたか否かを判定する判定手段２３と、判定された結果に基づいて該当する携帯端末５に判定結果を通知する判定結果通知手段（判定された結果に基づいて判定結果通知情報生成手段２４により判定結果通知情報を生成し、その判定結果通知情報を該当する携帯端末５に送信する通信手段２５）と、を備えていることを特徴とする。
【００５３】
このようにすれば、手軽に健康診断をしてもらうことができるとともに、自分の健康を管理することができる。
【００５４】
また、管理センタ２０は医療機関等３０と通信回線３５ａを介して接続され、判定手段２３により判定された結果が特異であった場合は、携帯端末５からの要求により、管理センタ２０が指定する医療機関の予約をすることができるようにしてもよい。
【００５５】
このようにすれば、利用者は予約された日時に指定された医療機関へ行けば再検査等の診断を容易に受けることができる。また、手軽に健康を管理できるので、病気の早期発見、早期予防に役立つ。
【００５６】
本発明の健康管理支援システムは、本実施形態に限られず、他の実施形態にて実施してもよい。
【図面の簡単な説明】
【図１】本発明の健康管理システムのシステムの概要図である。
【図２】携帯端末の外観を示し、図２（ａ）は正面図、図２（ｂ）は側面図である。
【図３】本発明の健康管理システムのシステム構成図である。
【図４】生体情報測定手段により測定されたデータ処理のフローチャート図である。
【符号の説明】
５  携帯端末
６  撮像装置
７  第２の検出手段（マイク）
８  電極
９  第１の検出手段（センサ）
１１  生体情報測定手段
１４  外部情報取得手段
１６  通信手段
２０  管理センタ
２３  判定手段
２８  生体情報取得手段
３０  医療機関等
３５、３５ａ  通信回線
【図１】
2004255029.tif 000003
【図２】
2004255029.tif 000004
【図３】
2004255029.tif 000005
【図４】
2004255029.tif 000006